(57)【特許請求の範囲】
【請求項１】
金属電極、発光層、透明電極、ガラス基板が積層された面状発光体を備え、
前記発光層の光が前記ガラス基板から出射される照明装置であって、
前記ガラス基板の表面における暗部領域に対応して設けられた減光層を有し、
前記減光層が、前記ガラス基板の面に沿って中央部から周部に向かうにしたがって減光率が高くなっている照明装置。
【発明の詳細な説明】
【技術分野】
【０００１】
本発明は照明装置に係り、例えば、ＥＬ(Electro Luminescence)による面状発光体を用いた照明装置に関するものである。
【背景技術】
【０００２】
従来より、ＥＬ(Electro Luminescence)素子等の面状発光体を光源とする照明装置が提案されている（例えば特許文献１参照）。
ＥＬ素子を用いた面状発光体は、ガラス基板に透明電極、発光層、金属電極が積層されており、金属電極および透明電極に電圧を印加することにより発光層において生じた光が、ガラス基板を通して出射される。このような面状発光体を用いた照明装置では、ガラス基板の略全域が発光領域となる。
【特許文献１】特開２００５−１５８３６９号公報
【発明の開示】
【発明が解決しようとする課題】
【０００３】
ところで、ＥＬ素子を用いた照明装置は、大面積化に伴って透明電極の抵抗値が増大するため、発光領域の中央部と比較して、暗い暗部領域が角部や周部に生じやすい傾向がある。
このような照明装置は、観る者に対して発光面に輝度ムラを感じさせて印象が悪くなる可能性があるという不都合があった。
【０００４】
本発明は、前述した問題点に鑑みてなされたものであり、その目的は、発光面に輝度ムラが生じても観る者が輝度ムラとして認識しにくい照明装置を提供することにある。
【課題を解決するための手段】
【０００５】
前述した目的を達成するために、本発明は、ガラス基板および発光層が積層された面状発光体を備え、前記発光層の光が前記ガラス基板から出射される照明装置であって、前記ガラス基板の表面に設けられた減光層を有し、前記減光層が、前記ガラス基板における暗部領域に対応して設けられている。
【０００６】
このように構成された照明装置においては、ガラス基板の周部における暗部領域に対応してガラス基板に減光層を設けたので、ガラス基板を通して出射される光に対して観る者はＥＬの輝度ムラを感じずに発光領域の輝度が均一であるかのように感じる。
そして、周部は意図的に輝度が低下されていると感じ、悪い印象を与えるのを防止することができる。ここで、減光層とは輝度を減少させる部分であり、減光層全体として発光領域における暗部領域以外(中央部)よりも減光されていればよい。
なお、減光層としては、光透過性の有無や色は不問であり、円形や角形の多数の点、並行ライン、メッシュ等を設けることにより減光率を変化させることができるものである。
【０００７】
また、本発明は、前記発光面の周部に向かって減光率が高くなっている。
【０００８】
このように構成された照明装置においては、周部の暗部領域の暗部程度が均一ではないので、発光面の周部に向かって減光率を高めることにより、自然な形で減光することができる。
【発明の効果】
【０００９】
本発明によれば、ガラス基板の周部における暗部領域に対応してガラス基板に減光層を設けたので、ガラス基板を通して出射される光に対して観る者はＥＬの輝度ムラを感じずに発光領域の輝度が均一であるかのように感じる。
そして、周部は意図的に輝度が低下されていると感じ、悪い印象を与えるのを防止することができるという効果が得られる。
【発明を実施するための最良の形態】
【００１０】
以下、本発明に係る実施形態を図面に基づいて詳細に説明する。
図１は本発明の照明装置の使用例を示す斜視図、図２は本発明に係る第１実施形態を示す斜視図、図３は照明装置の断面図、図４照明装置減光層の拡大平面図、図５（Ａ）は減光層の配置を示す照明装置の正面図、図５（Ｂ）は照明装置の発光の状態を示す斜視図である。
【００１１】
（第１実施形態）
図２に示すように、本発明の第１実施形態である照明装置１０Ａは、ガラス基板１１および発光層１２が積層された面状発光体１３を備え、発光層１２の光がガラス基板１１から出射されるようになっている。
ガラス基板１１は、表面に設けられた減光層１４を有しており、減光層１４が、ガラス基板１１の周部における暗部領域１５に対応して設けられている。
【００１２】
図３に示すように、面状発光体１３はＥＬ素子が用いられており、ガラス基板１１、透明電極１６、発光層１２、金属電極１７を積層して形成されている。
従って、透明電極１６と金属電極１７に電圧を印加して発光層を発光させ、ガラス基板１１を通って光を出射するようになっている。この面状発光体１３は、一面が開口された矩形箱状の枠体１８に収容されており、発光面であるガラス基板１１を開口側(図３においては上方)に向けている。
これにより、ガラス基板１１側に光を出射する照明装置１０Ａ形成している。
【００１３】
発光面を構成するガラス基板１１の周部には、暗部領域１５に応じて減光層１４が設けられている。
図４に示すように、減光層１４は透過性を有するものであり、ガラス基板１１の表面に多数の円形や多角形等の点１４ａを印刷、塗装、シールの貼り付け等で形成することができる。
減光層１４全体としては、発光領域における暗部領域１５以外(中央部)よりも減光されるようになっている。
【００１４】
減光層１４における減光率は、図４に示すように、点１４ａの直径を変化させることにより、点１４ａ部分の面積と、隙間の面積との比率を変化させることにより調整することができる。この場合には、周部に行くほど直径を大きくすることにより減光率を上げることができる。
【００１５】
あるいは、図示はしないが、点１４ａの直径を一定として、点１４ａの密度を変えることにより調整することができる。この場合には、周部に行くほど密集するように配置することにより減光率を上げることができる。
また、点１４ａの着色濃度を変化させて減光率を調整することもできる。すなわち、周部に向かうほど着色濃度を濃くすることによりグラデーションを設けることができる。
【００１６】
さらに、減光層１４が塗装等によって形成されているため、例えばサンドブラスト等の機械的手段によりガラス基板１１の表面に凹凸を形成して減光層を形成した場合に比較して、減光率の調整が容易である。
すなわち、サンドブラスト等による場合には、ガラス基板１１の表面に形成した凹凸に粉塵等が溜まることによって必要以上に暗くなったり、汚れて外観性の低下等が生じたりするおそれがあるが、このような不都合が生じるのを回避することができる。
【００１７】
図５（Ａ）に示すように、減光層１４は矩形のガラス基板１１の周部に全周にわたって設けられており、周部に向かうにしたがって減光率が高くなっている。中央部には減光層１４は設けられていない。
このため、中央から周部に向かうにしたがって次第に暗くなり、枠体１８と発光面との間に明らかな明暗差としてクッキリ生じた境界を曖昧にすることができるので、暗部程度が均一ではない暗部領域１５（周部）の減光率を高めることにより、自然な形で減光することができる。
【００１８】
図１には、前述した照明装置１０Ａの使用例が示されている。例えば、学園地区に設けられているペデストリアン（歩行者・自転車用道路）や、近年、駅前によく設けられている歩道橋やペデストリアン・デッキ等の公共屋外空間に設けることができる。
【００１９】
この照明装置１０Ａを例えば歩道に沿って連続あるいは一定の間隔をおいて設置し、例えば、右側の列（図１において下側）の照明装置１０Ａは右方向（図１において右方向）に向かって点滅させ、左側の列の照明装置１０Ａは左に向かって点滅させることにより、歩行者を導くことができる。
あるいは、広場において所定の形状に配置しておいて、適宜点灯させることにより、外観を考えた演出のために用いることができる。照明装置１０Ａは、図３に示したように、枠体１８に収容された状態で、舗装等に埋設されている。
【００２０】
以上、前述した照明装置１０Ａにおいては、ガラス基板１１における暗部領域１５である周部に対応してガラス基板１１に減光層１４を設けたので、ガラス基板１１を通して出射される光に対して観る者はＥＬの輝度ムラと感じずに、周部が意図的に輝度が低下されていると感じる。すなわち、悪い印象を与えるのを防止することができる。
【００２１】
（第２実施形態）
次に、第２実施形態について説明する。図６には、本発明に係る照明装置の第２実施形態が示されている。
なお、前述した第１実施形態と共通する部位には同じ符号を付して、重複する説明を省略することとする。
【００２２】
図６に示すように、この照明装置１０Ｂにおいては、発光面を構成するガラス基板１１の周部には、減光層１４が設けられている。減光層１４は透過性を有するものであり、ガラス基板１１の表面に多数の並行ライン１４ｂを印刷、塗装、シールの貼り付け等で形成している。
減光層１４全体としては、発光領域における暗部領域１５以外(中央部)よりも減光されるようになっている。
【００２３】
減光層１４における減光率は、図６に示すように、並行ライン１４ｂのライン幅を一定として列間寸法を変化させることにより、並行ライン１４ｂ部分の面積と、並行ライン間の隙間の面積との比率を変化させて調整することができる。
この場合には、周部に行くほど列間間隔を小さくして減光率を上げる。
【００２４】
あるいは、図示はしないが、並行ライン１４ｂの列間寸法を一定として、並行ライン１４ｂの密度を変えることにより調整することができる。
この場合には、周部に行くほどライン幅の太い並行ライン１４ｂを配置して減光率をあげる。
【００２５】
また、並行ライン１４ｂの着色濃度を変化させて減光率を調整することもできる。すなわち、周部に向かうほど並行ライン１４ｂの着色濃度を濃くすることによりグラデーションを設けることができる。
これにより、前述した第１実施形態の場合と同様の作用・効果を得ることができる。
【００２６】
（第３実施形態）
次に、第３実施形態について説明する。図７には、本発明に係る照明装置の第３実施形態が示されている。
なお、前述した第１実施形態あるいは第２実施形態と共通する部位には同じ符号を付して、重複する説明を省略することとする。
【００２７】
図７に示すように、この照明装置１０Ｃにおいては、発光面を構成するガラス基板１１の周部には、減光層１４が設けられている。減光層１４は透過性を有するものであり、ガラス基板１１の表面にメッシュ１４ｃを設けて形成されている。減光層１４全体としては、発光領域における暗部領域１５以外よりも減光されるようになっている。
【００２８】
減光層１４における減光率は、減光層１４を形成するメッシュ１４ｃを変化させることにより、調整することができる。
すなわち、メッシュ１４ｃの大きさやメッシュ１４ｃを形成しているラインの太さ等を変化させることにより調整する。この場合には、周部に行くほどメッシュ１４ｃの間隔を小さくしたり、あるいは、周部に行くほどメッシュ１４ｃを形成しているラインを太くすることによりグラデーションを設けることができる。
これにより、前述した第１実施形態あるいは第２実施形態の場合と同様の作用・効果を得ることができる。
【００２９】
（第４実施形態）
次に、第４実施形態について説明する。図８には、本発明に係る照明装置の第４実施形態が示されている。
なお、前述した第１実施形態から第３実施形態のいずれかと共通する部位には同じ符号を付して、重複する説明を省略することとする。
【００３０】
図８に示すように、この照明装置１０Ｄにおいては、発光面を構成するガラス基板１１の周部には、減光層１４が設けられている。減光層１４は透過性を有するものであり、ガラス基板１１の表面にベタ塗り部１４ｄを設けて形成されている。
減光層１４全体としては、発光領域における暗部領域１５以外よりも減光されるようになっている。
【００３１】
減光層１４における減光率は、減光層１４を形成するベタ塗り部１４ｄを変化させることにより、ベタ塗り部１４ｄの透過率を変化させて、調整することができる。
この場合には、周部に行くほどベタ塗り部１４ｄの濃さを大きくする。
【００３２】
あるいは、周部に行くほど透過性の小さな塗料やインク等を用いるようにすることによりグラデーションを設けることができる。
これにより、前述した第１実施形態あるいは第２実施形態の場合と同様の作用・効果を得ることができる。
【００３３】
なお、本発明の照明装置は、前述した各実施形態に限定されるものでなく、適宜な変形，改良等が可能である。
例えば、前述した各実施形態においては、周部としてガラス基板１１の全周にわたって減光層１４を設けた場合を例示したが、本発明の照明装置は、この他、図９に示すように、対向する２辺のみに減光層１４を設けるようにすることもできる。
あるいは、図１０に示すように、四隅にのみ減光層１４を設けるようにすることもできる。
【産業上の利用可能性】
【００３４】
以上のように、本発明に係る照明装置は、ガラス基板の周部における暗部領域に対応してガラス基板に減光層を設けたので、ガラス基板を通して出射される光に対して観る者はＥＬの輝度ムラを感じずに発光領域の輝度が均一であるかのように感じる。そして、周部は意図的に輝度が低下されていると感じ、悪い印象を与えるのを防止することができるという効果を有し、例えばＥＬによる面状発光体を用いた照明装置等として有用である。
【図面の簡単な説明】
【００３５】
【図１】本発明の照明装置の使用例を示す斜視図である。
【図２】本発明に係る第１実施形態を示す斜視図である。
【図３】本発明に係る照明装置の断面図である。
【図４】本発明に係る照明装置における減光層を示す拡大平面図である。
【図５】（Ａ）は減光層の配置を示す照明装置の正面図である。（Ｂ）は照明装置の発光の状態を示す斜視図である。
【図６】本発明に係る第２実施形態を示す斜視図である。
【図７】本発明に係る第３実施形態を示す斜視図である。
【図８】本発明に係る第４実施形態を示す斜視図である。
【図９】（Ａ）は減光層の別の配置を示す照明装置の正面図である。（Ｂ）は（Ａ）の照明装置の発光の状態を示す斜視図である。
【図１０】（Ａ）は減光層のさらに別の配置を示す照明装置の正面図である。（Ｂ）は（Ａ）の照明装置の発光の状態を示す斜視図である。
【符号の説明】
【００３６】
１０  照明装置
１１  ガラス基板
１２  発光層
１３  面状発光体
１４  減光層
【図１】
0004765612.tif 000002
【図２】
0004765612.tif 000003
【図３】
0004765612.tif 000004
【図４】
0004765612.tif 000005
【図５】
0004765612.tif 000006
【図６】
0004765612.tif 000007
【図７】
0004765612.tif 000008
【図８】
0004765612.tif 000009
【図９】
0004765612.tif 000010
【図１０】
0004765612.tif 000011